(57)【要約】      （修正有）【課題】施工が簡便で使い勝手がよく、且つ軽量で運搬や収納面で優れ、さらに高い強度を発揮する耐震用ブロック体を提供する。【解決手段】耐震用ブロック体１は、設置面上に固定される鉄筋２と、鉄筋の周囲に配設される、上下に開口部を有する型枠１０と、鉄筋の周囲に型枠を配設した状態で型枠内に注入されるコンクリート２０と、により構成される。また、型枠は底面幅広状のテーパ状に形成されており、型枠の下部の開口部および鉄筋の下部を設置面内に埋設した。さらに、型枠の周囲に補強材を配設することが好ましい。【選択図】図１
0003184050.tif 000002
【実用新案登録請求の範囲】
【請求項１】
設置面上に固定される鉄筋と、該鉄筋の周囲に配設される、上下に開口部を有する型枠と、鉄筋の周囲に型枠を配設した状態で型枠内に注入されるコンクリートと、により構成されることを特徴とする耐震用ブロック体。
【請求項２】
前記型枠は、底面幅広状のテーパ状に形成されている請求項１記載の耐震用ブロック体。
【請求項３】
前記型枠の下部の開口部を設置面内に埋設した請求項１または２記載の耐震用ブロック体。
【請求項４】
前記型枠の周囲に補強材を配設した請求項１乃至３のうちいずれか１項に記載の耐震用ブロック体。
【請求項５】
前記鉄筋を設置面内に埋設した請求項１乃至４のうちいずれか１項に記載の耐震用ブロック体。
【考案の詳細な説明】
【技術分野】
【０００１】  本考案は、配管用、建築用、フェンス用、駐車場の車止め用等に使用されるブロック体であって、特に、施工が簡便で使い勝手がよく、且つ高い強度を有する耐震用ブロック体に関する。
【背景技術】
【０００２】  コンクリートのブロック体は、設置面上に型枠を配設し、型枠内にコンクリートを打設し、コンクリートが硬化した後、型枠を取り外して形成していた。しかしながら、従来の型枠においては、組み立てや取り外し作業、また型枠の運搬等が非常に困難であった。【０００３】  これらの問題を解消するための従来技術として、繊維補強セメント板を捨て型枠として用いて現場でコンクリートを打設して容易に構築できるコンクリート製ガードフェンスがある（例えば特許文献１参照）。
上掲特許文献１のコンクリート製ガードフェンスは、繊維補強セメント板から所要長さのガードフェンス外形に対応した形状に予め造られた型板を用いて現場で組み立てゝ所定の形状の捨て型枠を設置し、該捨て型枠内にコンクリートを打設して製造されることを特徴としている。
【先行技術文献】
【特許文献】
【０００４】
【特許文献１】特開平６−５７７１７号公報（特許請求の範囲等）
【考案の概要】
【考案が解決しようとする課題】
【０００５】  しかしながら、上掲特許文献１のコンクリート製ガードフェンスは、繊維補強セメント板を押え金具で取り付けるため、組み立て作業に手間が掛かるとともに、重量が嵩むために運搬や収納面でも問題が残った。【０００６】  そこで本考案は上記の点に鑑み、施工が簡便で使い勝手がよく、且つ軽量で運搬や収納面で優れ、さらに高い強度を発揮する耐震用ブロック体を提供することにある。
【課題を解決するための手段】
【０００７】  上記課題を解決するために本考案の耐震用ブロック体は、設置面上に固定される鉄筋と、該鉄筋の周囲に配設される、上下に開口部を有する型枠と、鉄筋の周囲に型枠を配設した状態で型枠内に注入されるコンクリートと、により構成されることを特徴とする。【０００８】  また、前記型枠は底面幅広状のテーパ状に形成されている。【０００９】  また、前記型枠の下部の開口部を設置面内に埋設した。【００１０】  また、前記型枠の周囲に補強材を配設した。【００１１】  さらに、前記鉄筋を設置面内に埋設した
【考案の効果】
【００１２】  本考案の耐震用ブロック体によれば、設置面上に固定される鉄筋と、該鉄筋の周囲に配設される、上下に開口部を有する型枠と、鉄筋の周囲に型枠を配設した状態で型枠内に注入されるコンクリートと、により構成されるため、施工が簡便で使い勝手がよく、且つ軽量で運搬や収納面で優れる。【００１３】  また、前記型枠の底面を設置面内に埋設し、型枠の周囲に補強材を配設したことにより、高い強度が得られ、耐震面においても優れた効果を発揮できる。
【図面の簡単な説明】
【００１４】
【図１】本考案の耐震用ブロック体の全体斜視図である。
【図２】前記耐震用ブロック体の鉄筋部分を表す斜視図である。
【図３】鉄筋に型枠を配設した状態の斜視図である。
【図４】本考案の耐震用ブロック体に補強材を施した状態の斜視図である。
【図５】鉄筋を設置した施工状態である。
【図６】型枠を配設した施工状態である。
【図７】型枠内にコンクリートを打設した施工状態である。
【図８】型枠の底部を埋設した施工状態である。
【考案を実施するための形態】
【００１５】  本考案の耐震用ブロック体は、配管用、建築用、フェンス用、駐車場の車止め用等に使用されるブロック体であって、特に、施工が簡便で使い勝手がよく、且つ高い強度を有することを特徴とする。
【００１６】  図示する耐震用ブロック体１は、設置面５上に固定される鉄筋２と、該鉄筋２の周囲に配設される、上下に開口部１１，１２を有する型枠１０と、鉄筋２の周囲に型枠１０を配設した状態で型枠１０内に注入されるコンクリート２０と、により構成されている。
【００１７】  鉄筋２は汎用の構造を呈しており、図２に示すように、設置面５の地中に埋設される軸部３と、軸部３間に固定された複数の枠体４とからなる。また、本考案の耐震用ブロック体１に使用される鉄筋２は、硬化したコンクリート２０を補強するものであれば、如何なる構造であってもよい。
【００１８】  型枠１０は、前記鉄筋２の周囲に配設されるもので、図３に示すように、複数の部材を連結可能に形成されている。また前記型枠１０の材質は、軽量で、且つ量産が可能であり、適宜強度を有する合成樹脂にて形成されている。なお、本考案の耐震用ブロック体１の型枠１０は、本考案者により出願されている特許第２８６９６１８号の開き防止組立式柱台枠、もしくは実用新案登録第３１７０４６４号の増設柱台枠等が好適に使用される。
【００１９】  また前記型枠１０の下部には開口部１１が、上部には開口部１２が形成されている。また特に、前記型枠１０は、底面幅広状のテーパ状に形成されており、周囲四隅は湾曲状を呈する。そのことにより、例えば本考案の耐震用ブロック体１を駐車場の車止めに使用した場合、誤ってタイヤやボディーが接触しても、タイヤや車体表面を傷つけることを軽減できる。
【００２０】  また耐震用ブロック体１は、鉄筋２の周囲に型枠１０を配設した状態で、型枠１０内にコンクリート２０が注入される。注入されたコンクリート２０が硬化した後、型枠１０はそのまま装着した状態で完成される。そのことにより、施工と仕上げが同時に完了し、面倒な後仕上げを必要としない。
【００２１】  また他の好適例として、図８に示すように、前記型枠１０の下部の開口部１１を設置面５内に埋設することが好ましい。型枠１０の開口部１１を設置面５内に埋設することにより、型枠１０の設置強度を向上することができる。
【００２２】  また他の好適例として、図４に示すように、前記型枠１０の周囲に補強材３０を配設してもよい。前記補強材３０は、型枠１０の周囲に木材を組み上げることにより形成できる。前記補強材３０を型枠１０の周囲に形成することで高い強度が得られ、地震等の災害が発生した際でも崩壊することを低減できる。なお、前記補強材３０は上述に限定されるものではなく、型枠１０の崩壊を防ぐものであれば如何なる構造であってもよい。
【００２３】  また他の好適例として、図示するように、前記鉄筋２を設置面５内に埋設することが好ましい。前記鉄筋２の軸部３の下部をした設置面５内に埋設することで、鉄筋２の設置強度を向上させることができる。そのことにより、耐震用ブロック体１全体の強度を一層高めることができる。
【００２４】  次に、本考案の耐震用ブロック体の施工方法の詳細を図５乃至図８に基づいて説明する。
【００２５】  先ず、図５に示すように、耐震用ブロック体１を設置する設置面５内に鉄筋２の軸部３の下部を埋設する。次に、分割された型枠を連結し、鉄筋２の周囲に組み立てた型枠１０を配置させる。
【００２６】  鉄筋２の周囲に型枠１０を配設した状態で、図７に示すように、型枠１０の上部の開口部１２よりコンクリートを注入する。所定量のコンクリートを注入して硬化させることにより耐震用ブロック体１が形成される。
【００２７】  また図８に示すように、型枠１０の下部の開口部１１を設置面５内に埋設した後、所定量のコンクリートを注入して硬化させることもできる。そのことにより、耐震用ブロック体１の強度を向上させることができる。
【００２８】  上述の構造により、本考案の耐震用ブロック体１によれば、施工が簡便で使い勝手がよく、且つ軽量で運搬や収納面で優れる。また、前記型枠１０の下部の開口部１１を設置面内に埋設し、さらに型枠１０の周囲に補強材３０を配設することにより、高い強度が得られ、地震が発生した際でも耐震用ブロック体１が崩壊することを軽減できる。
【符号の説明】
【００２９】１    耐震用ブロック体
２    鉄筋
３    軸部
４    枠体
５    設置面
１０  型枠
１１  開口部
１２  開口部
２０  コンクリート
３０  補強材
【図１】
0003184050.tif 000003
【図２】
0003184050.tif 000004
【図３】
0003184050.tif 000005
【図４】
0003184050.tif 000006
【図５】
0003184050.tif 000007
【図６】
0003184050.tif 000008
【図７】
0003184050.tif 000009
【図８】
0003184050.tif 000010